(57)【要約】【課題】指定された提供先に、配信する音楽の歌詞等の音楽情報を音楽とともに提供する。【解決手段】端末１０−１〜１０−ｎにて指定された音楽の配信及び該音楽に関する音楽情報が印刷された印刷物の作製を注文管理サーバ３０にて受け付け、音楽配信システム４０にて設定された配信許可情報と音楽を特定可能な音楽特定情報とを対応づけて注文情報データベース２５に登録して管理しておき、注文情報データベース２５に登録された音楽特定情報を用いて歌詞情報データベース２７から検索された歌詞情報を配信許可情報とともに印刷し、音楽配信システム４０において、端末１０−１〜１０−ｎにて配信許可情報が指定された場合にその配信許可情報に対応づけて管理されている音楽特定情報によって特定される音楽を端末１０−１〜１０−ｎに配信する。【選択図】図１
2007316539.tif 000002
【特許請求の範囲】
【請求項１】
通信回線に接続可能な端末にて指定された音楽に関する音楽情報を印刷して印刷物として提供し、該印刷物を用いて前記音楽を配信する音楽提供システムであって、
前記通信回線を介して前記端末からアクセス可能に構成され、前記端末にて指定された音楽の配信及び該音楽に関する音楽情報が印刷された印刷物の作製を受け付け、該音楽を配信するための配信許可情報と、該音楽を特定可能な音楽特定情報とを対応づけて注文情報データベースに登録して管理する注文管理手段と、
前記注文情報データベースに登録された前記音楽特定情報を用いて、複数の音楽情報が登録された音楽情報データベースから前記端末にて指定された音楽に関する音楽情報を検索し、検索された音楽情報を前記配信許可情報とともに印刷し、前記端末にて指定された配送先に配送される印刷物を作製する印刷手段と、
前記通信回線を介して前記端末からアクセス可能に構成され、前記注文管理手段にて受け付けられた音楽の配信について、前記配信許可情報を設定して前記注文管理手段に通知するとともに、前記音楽特定情報と前記配信許可情報とを対応づけて配信情報データベースに登録して管理し、前記端末にて前記配信許可情報が指定された場合に該配信許可情報に対応づけて管理されている音楽特定情報によって特定される音楽を前記端末に配信する音楽配信手段とを有する音楽提供システム。
【請求項２】
通信回線に接続可能な端末にて指定された音楽に関する音楽情報を印刷して印刷物として提供し、該印刷物を用いて前記音楽を配信する音楽提供システムであって、
前記通信回線を介して前記端末からアクセス可能に構成され、前記端末にて指定された音楽の配信及び該音楽に関する音楽情報が印刷された印刷物の作製を受け付け、該音楽を配信するための配信許可情報を設定し、該配信許可情報と、当該音楽を特定可能な音楽特定情報とを対応づけて配信情報データベースに登録して管理し、前記端末にて前記配信許可情報が指定された場合に該配信許可情報に対応づけて管理されている音楽特定情報によって特定される音楽を前記端末に配信する音楽配信手段と、
前記通信回線を介して前記端末からアクセス可能に構成され、前記音楽配信手段にて受け付けられた前記印刷物の作製について、前記音楽特定情報と前記音楽配信手段にて設定された配信許可情報とを対応づけて注文情報データベースに登録して管理する注文管理手段と、
前記注文情報データベースに登録された前記音楽特定情報を用いて、複数の音楽情報が登録された音楽情報データベースから前記端末にて指定された音楽に関する音楽情報を検索し、検索された音楽情報を前記配信許可情報とともに印刷し、前記端末にて指定された配送先に配送される印刷物を作製する印刷手段とを有する音楽提供システム。
【発明の詳細な説明】
【技術分野】
【０００１】
本発明は、音楽を配信する音楽提供システムに関し、特に、配信する音楽の歌詞等の音楽情報を音楽とともに提供可能な音楽提供システムに関する。
【背景技術】
【０００２】
従来、楽曲等の音楽を取得する場合は、ＣＤやレコード等の記録媒体を購入することが行われていた。その場合、購入したＣＤやレコード等の記録媒体には、それに記録された音楽の歌詞が記載された歌詞カードや冊子が添付されており、購入者は、その歌詞カードや冊子によって音楽の歌詞を知ることができ、音楽を視聴しながら歌詞を口ずさむことが可能となる。
【０００３】
近年、インターネットの普及に伴い、インターネットを介して音楽を配信するサービスが行われている。このサービスを利用する場合は、音楽を配信するサイトに携帯電話やパソコン等を用いてアクセスし、所望の音楽を指定することにより、そのサイトから音楽をダウンロードすることができる。
【０００４】
ところが、このように音楽を携帯電話やパソコンにインターネットを介してダウンロードした場合、上述したようなＣＤやレコード等の記録媒体を購入した場合のように音楽の歌詞が記載された歌詞カードや冊子が添付されていないため、ダウンロードによって音楽を取得したユーザは、その音楽の歌詞を知ることができない。
【０００５】
ここで、携帯電話にて指定された音楽の歌詞を印刷して提供するシステムが特許文献１に開示されている。このシステムにおいては、楽曲等の音楽の歌詞データがテキストデータやイメージデータとして検索装置にて管理されており、携帯電話がネットワークを介して検索装置にアクセスし、所望の音楽が指定されることにより、その音楽の歌詞データがファクシミリ装置やコピー機、プリンタ等の印刷装置に送信され、指定された音楽の歌詞がファクシミリ装置やコピー機、プリンタ等の印刷装置にて印刷される。これにより、上述したように音楽を携帯電話やパソコンにダウンロードした場合であっても、ダウンロードによって音楽を取得したユーザは、ダウンロードした音楽の歌詞を知ることができるようになる。
【特許文献１】特開２００２−２７８５６１号公報
【発明の開示】
【発明が解決しようとする課題】
【０００６】
しかしながら、特許文献１に開示されたシステムは、音楽を携帯電話やパソコンにダウンロードしたユーザにその音楽の歌詞が印刷された印刷物が提供されるものであるため、例えば、ユーザがダウンロードした音楽を友人等の他のユーザに提供する場合、歌詞が印刷された印刷物もその音楽とともに他のユーザに提供しなければ他のユーザは提供された音楽の歌詞を知ることができず、他のユーザにも音楽の歌詞を提供するためには、音楽をダウンロードしたユーザが、歌詞が印刷された印刷物を他のユーザに送らなければならずにそのための手間がかかってしまうという問題点がある。
【０００７】
本発明は、上述したような従来の技術が有する問題点に鑑みてなされたものであって、指定された提供先に、配信する音楽の歌詞等の音楽情報を音楽とともに提供することができる音楽提供システムを提供することを目的とする。
【課題を解決するための手段】
【０００８】
上記目的を達成するために本発明は、
通信回線に接続可能な端末にて指定された音楽に関する音楽情報を印刷して印刷物として提供し、該印刷物を用いて前記音楽を配信する音楽提供システムであって、
前記通信回線を介して前記端末からアクセス可能に構成され、前記端末にて指定された音楽の配信及び該音楽に関する音楽情報が印刷された印刷物の作製を受け付け、該音楽を配信するための配信許可情報と、該音楽を特定可能な音楽特定情報とを対応づけて注文情報データベースに登録して管理する注文管理手段と、
前記注文情報データベースに登録された前記音楽特定情報を用いて、複数の音楽情報が登録された音楽情報データベースから前記端末にて指定された音楽に関する音楽情報を検索し、検索された音楽情報を前記配信許可情報とともに印刷し、前記端末にて指定された配送先に配送される印刷物を作製する印刷手段と、
前記通信回線を介して前記端末からアクセス可能に構成され、前記注文管理手段にて受け付けられた音楽の配信について、前記配信許可情報を設定して前記注文管理手段に通知するとともに、前記音楽特定情報と前記配信許可情報とを対応づけて配信情報データベースに登録して管理し、前記端末にて前記配信許可情報が指定された場合に該配信許可情報に対応づけて管理されている音楽特定情報によって特定される音楽を前記端末に配信する音楽配信手段とを有する。
【０００９】
上記のように構成された本発明においては、注文管理手段において端末にて指定された音楽の配信及びその音楽に関する音楽情報が印刷された印刷物の作製が受け付けられると、その音楽の配信が音楽配信手段に通知され、音楽配信手段において、注文管理手段から通知された音楽の配信について、音楽を配信するための配信許可情報が設定され、この配信許可情報が注文管理手段に通知されるとともに、配信許可情報がその音楽を特定可能な音楽特定情報と対応づけて配信情報データベースに登録して管理される。注文管理手段においては、端末にて指定された音楽を特定可能な音楽特定情報と、音楽配信手段から通知された配信許可情報とが対応づけて注文情報データベースに登録して管理される。印刷手段においては、注文情報データベースに登録された音楽特定情報を用いて、複数の音楽情報が登録された音楽情報データベースから端末にて指定された音楽に関する音楽情報が検索され、検索された音楽情報が音楽配信手段から通知された配信許可情報とともに印刷され、端末にて指定された配送先に配送される印刷物が作製される。端末にて指定された配送先に配送される印刷物には、端末にて指定された音楽に関する音楽情報が印刷されているとともに、その音楽情報の音楽を配信するための配信許可情報が印刷されている。そのため、印刷物の配送先において、配信許可情報が指定されると、音楽配信手段において、指定された配信許可情報に対応づけて管理されている音楽特定情報によって特定される音楽が配信され、また、その配信された音楽の歌詞等の音楽情報が印刷物に印刷されており、音楽を視聴しながら歌詞を口ずさむことが可能となる。
【００１０】
また、通信回線に接続可能な端末にて指定された音楽に関する音楽情報を印刷して印刷物として提供し、該印刷物を用いて前記音楽を配信する音楽提供システムであって、
前記通信回線を介して前記端末からアクセス可能に構成され、前記端末にて指定された音楽の配信及び該音楽に関する音楽情報が印刷された印刷物の作製を受け付け、該音楽を配信するための配信許可情報を設定し、該配信許可情報と、当該音楽を特定可能な音楽特定情報とを対応づけて配信情報データベースに登録して管理し、前記端末にて前記配信許可情報が指定された場合に該配信許可情報に対応づけて管理されている音楽特定情報によって特定される音楽を前記端末に配信する音楽配信手段と、
前記通信回線を介して前記端末からアクセス可能に構成され、前記音楽配信手段にて受け付けられた前記印刷物の作製について、前記音楽特定情報と前記音楽配信手段にて設定された配信許可情報とを対応づけて注文情報データベースに登録して管理する注文管理手段と、
前記注文情報データベースに登録された前記音楽特定情報を用いて、複数の音楽情報が登録された音楽情報データベースから前記端末にて指定された音楽に関する音楽情報を検索し、検索された音楽情報を前記配信許可情報とともに印刷し、前記端末にて指定された配送先に配送される印刷物を作製する印刷手段とを有する。
【００１１】
上記のように構成された本発明においては、音楽配信手段において端末にて指定された音楽の配信及びその音楽に関する音楽情報が印刷された印刷物の作製が受け付けられると、その音楽を配信するための配信許可情報が設定され、この配信許可情報が注文管理手段に通知されるとともに、配信許可情報がその音楽を特定可能な音楽特定情報と対応づけて配信情報データベースに登録して管理される。注文管理手段においては、音楽配信手段にて受け付けられた印刷物の作製について、端末にて指定された音楽を特定可能な音楽特定情報と音楽配信手段から通知された配信許可情報とが対応づけて注文情報データベースに登録して管理される。印刷手段においては、注文情報データベースに登録された音楽特定情報を用いて、複数の音楽情報が登録された音楽情報データベースから端末にて指定された音楽に関する音楽情報が検索され、検索された音楽情報が配信許可情報とともに印刷され、端末にて指定された配送先に配送される印刷物が作製される。端末にて指定された配送先に配送される印刷物には、端末にて指定された音楽に関する音楽情報が印刷されているとともに、その音楽情報の音楽を配信するための配信許可情報が印刷されている。そのため、印刷物の配送先において、配信許可情報が指定されると、音楽配信手段において、指定された配信許可情報に対応づけて管理されている音楽特定情報によって特定される音楽が配信され、また、その配信された音楽の歌詞等の音楽情報が印刷物に印刷されており、音楽を視聴しながら歌詞を口ずさむことが可能となる。
【発明の効果】
【００１２】
以上説明したように本発明においては、音楽を配信するための配信許可情報とその音楽の歌詞等の音楽情報が印刷された印刷物が作製され、指定された提供先に配送されるため、指定された提供先に、配信する音楽の歌詞等の音楽情報を音楽とともに提供することができる。
【発明を実施するための最良の形態】
【００１３】
以下に、本発明の実施の形態について図面を参照して説明する。
【００１４】
（第１の実施の形態）
図１は、本発明の音楽提供システムの第１の実施の形態を示す図である。
【００１５】
本形態は図１に示すように、通信回線であるインターネット５０に接続可能な端末１０−１〜１０−ｎにて利用可能なものであって、インターネット５０に接続可能に構成され、端末１０−１〜１０−ｎに音楽を配信する音楽配信手段である音楽配信システム４０と、音楽配信システム４０から配信される音楽に関する音楽情報である歌詞が印刷された印刷物であるカードの作製を受け付け、カードを作製するカード印刷サービスシステム２０とから構成されている。
【００１６】
カード印刷サービスシステム２０は、Ｗｅｂサーバ２１と、メールサーバ２２と、注文管理手段である注文管理サーバ３０と、印刷手段を構成する情報検索部２３及び印刷部２４とから構成されている。
【００１７】
Ｗｅｂサーバ２１は、端末１０−１〜１０−ｎからのアクセスによって情報画面を提供する。Ｗｅｂサーバ２１から端末１０−１〜１０−ｎに提供される情報画面としては、印刷部２４にて歌詞が印刷される楽曲を検索するための画面や、検索された楽曲の中から印刷部２４にて歌詞が印刷される楽曲を選択するための画面や、端末１０−１〜１０−ｎにおける注文内容を確認するための画面等がある。
【００１８】
メールサーバ２２は、端末１０−１〜１０−ｎにて指定された音楽の歌詞の印刷を受け付けた後に、この注文内容を確認するための電子メールを、注文元となる端末に送信する。この電子メールには、注文内容が掲載された情報画面のアクセス先を示すＵＲＬが貼り付けてあり、このＵＲＬをクリックによって指定することにより、注文内容が掲載された情報画面が端末に表示されて注文内容を確認することができる。
【００１９】
注文管理サーバ３０は、注文情報管理部３１と、歌詞情報管理部３２とから構成されている。
【００２０】
注文情報管理部３１は、端末１０−１〜１０−ｎからのカード作製の注文を受け付けて注文毎に注文ＩＤを付与し、カードに歌詞が印刷される楽曲を特定可能な音楽特定情報である曲ＩＤと、音楽配信システム４０から通知されたサイトアドレス、並びに配信許可情報であるＩＤ及びパスワードとを対応づけて印刷注文情報として注文情報データベース２５に登録して管理する。なお、音楽配信システム４０から通知されるサイトアドレスは、カードに歌詞が印刷される楽曲を端末１０−１〜１０−ｎにてダウンロードするためのアドレスであり、また、配信許可情報であるＩＤ及びパスワードは、そのサイトにアクセスして指定することにより楽曲のダウンロードを可能とするものである。また、注文情報管理部３１は、端末１０−１〜１０−ｎにて入力された、歌詞が印刷されたカードの配送先の住所や氏名等の配送先情報を配送先情報データベース２６に登録して管理する。この場合においても、配送先情報データベース２６に登録された配送先情報には、注文毎に注文ＩＤが付与されている。
【００２１】
歌詞情報管理部３２は、音楽情報データベースである歌詞情報データベース２７に登録された歌詞情報を管理する。歌詞情報データベース２７には、楽曲の歌詞が、その楽曲名及び歌唱するアーティスト名と対応づけて登録されている。また、歌詞情報データベース２７に登録されたこれらの情報には、その楽曲毎に識別可能な曲ＩＤが楽曲毎に付与されている。
【００２２】
情報検索部２３は、注文情報データベース２５に登録された印刷注文情報を注文毎に取得し、配送先情報４２からこの印刷注文情報に含まれる注文ＩＤに対応づけられた配送先情報を検索するとともに、歌詞情報データベース２７から印刷注文情報に含まれる曲ＩＤによって特定される楽曲の歌詞を検索する。
【００２３】
印刷部５３は、注文情報データベース２５から取得された印刷注文情報に含まれるサイトアドレス、ＩＤ及びパスワードと、情報検索部２３にて配送先情報データベース２６から検索された配送先情報と、情報検索部２３にて歌詞情報データベース２７から検索された歌詞情報とを印刷し、情報検索部２３にて配送先情報データベース２６から検索された配送先情報を宛先としたカードを作製する。
【００２４】
音楽配信システム４０は、Ｗｅｂサーバ４１と、メールサーバ４２と、注文管理サーバ４３と、楽曲配信サーバ４４とから構成されている。
【００２５】
Ｗｅｂサーバ４１は、端末１０−１〜１０−ｎからのアクセスによって情報画面を提供する。Ｗｅｂサーバ４１から端末１０−１〜１０−ｎに提供される情報画面としては、印刷部２４にて作製されたカードに印刷されたＩＤ及びパスワードを入力するための画面や、端末１０−１〜１０−ｎにて楽曲のダウンロードを指定するための画面等がある。
【００２６】
メールサーバ４２は、端末１０−１〜１０−ｎに対して電子メールを送受信する。
【００２７】
注文管理サーバ４３は、カード印刷サービスシステム２０の注文情報管理部３１にてカード作製の注文が受け付けられた場合に、注文情報管理部３１から通知される曲ＩＤ及び注文ＩＤを受信し、この曲ＩＤについて上述したＩＤ及びパスワードを設定し、これら曲ＩＤと注文ＩＤとＩＤ及びパスワードとを対応づけて配信情報データベース４５に登録して管理するとともに、ＩＤ及びパスワードを注文管理サーバ３０に通知する。
【００２８】
楽曲配信サーバ４４は、端末１０−１〜１０−ｎにてＩＤ及びパスワードが指定された場合、これらＩＤ及びパスワードに対応づけられた曲ＩＤを配信情報データベース４５から検索し、検索された曲ＩＤによって特定される楽曲を楽曲データベース４６から検索して端末１０−１〜１０−ｎに配信する。
【００２９】
以下に、上記のように構成された音楽提供システムにおいて音楽及びその音楽の歌詞が印刷されたカードを提供する際の処理について説明する。
【００３０】
まず、端末１０−１〜１０−ｎにおいて音楽のダウンロードが可能であるとともにその音楽の歌詞が印刷されたカードの作製が注文される際の処理について、端末１０−１にてカードの作製が注文される際の処理を例に挙げて説明する。
【００３１】
図２は、図１に示した音楽情報印刷システムにおいて端末１０−１にて音楽のダウンロードが可能であるとともにその音楽の歌詞が印刷されたカードの作製が注文される際の処理を説明するためのフローチャートである。
【００３２】
端末１０−１の利用者が、図１に示した音楽提供システムを用いて、音楽がダウンロード可能であるとともにその音楽の歌詞が印刷されたカードの作製を注文するために、音楽提供サービスを行っているカード印刷サービスシステム２０にアクセスすると（ステップＳ１）、まず、カード印刷サービスシステム２０のＷｅｂサーバ２１から、カードに歌詞が印刷されるとともにそのカードを用いて配信する楽曲を検索するための楽曲検索画面が送信され（ステップＳ２）、インターネット６０を介して端末１０−１にて受信されて表示される（ステップＳ３）。
【００３３】
図３は、図１に示したカード印刷サービスシステム２０から送信されて端末１０−１にて表示される楽曲検索画面の一例を示す図である。
【００３４】
図３に示すように、Ｗｅｂサーバ２１から送信されて端末１０−１に表示される楽曲検索画面には、検索種別を選択するための検索種別選択領域６３と、検索条件を入力するための検索条件入力領域６１と、検索条件入力領域６１に入力した条件で検索をかけるための検索ボタン６２とが設けられている。検索種別選択領域６３は、「アーティスト名」、「曲名」、「歌詞」等といった検索種別のそれぞれにラジオボタンが設けられており、それにより、１つの検索種別が選択されることになる。検索条件入力領域６１には、検索種別選択領域６３にて選択した検索種別に応じて検索条件を入力することになる。例えば、検索種別選択領域６３にて「アーティスト名」を選択した場合は、検索条件として、歌詞を印刷したい楽曲を歌唱するアーティスト名を入力し、検索種別選択領域６３にて「曲名」を選択した場合は、検索条件として、歌詞を印刷したい曲名を入力し、検索種別選択領域６３にて「歌詞」を選択した場合は、検索条件として、歌詞を印刷したい曲の歌詞を入力することになる。
【００３５】
図３に示した楽曲検索画面に対して、検索種別選択領域６３にて検索種別が選択され、検索条件入力領域６１に検索条件が入力されて検索ボタン６２が押下されると、検索種別選択領域６３にて選択された検索種別と、検索条件入力領域６１に入力された検索条件とが送信され（ステップＳ４）、Ｗｅｂサーバ２１にて受信される（ステップＳ５）。
【００３６】
検索種別選択領域６３にて選択された検索種別と検索条件入力領域６１に入力された検索条件とがＷｅｂサーバ２１にて受信されると、Ｗｅｂサーバ２１にて受信された検索種別及び検索条件は、注文管理サーバ３０に送られ、注文管理サーバ３０の歌詞情報管理部３２において、歌詞情報データベース２７が参照され、Ｗｅｂサーバ２１から送られてきた検索種別及び検索条件に基づいて、歌詞を印刷する楽曲が検索される（ステップＳ６）。
【００３７】
図４は、図１に示した歌詞情報データベース２７の構成例を示す図である。
【００３８】
図４に示すように、図１に示した歌詞情報データベース２７には、楽曲の歌詞が、その楽曲名及び楽曲を歌唱するアーティスト名と対応づけて登録されている。また、図示していないが、楽曲毎に、楽曲を識別可能な曲ＩＤが付与されている。
【００３９】
歌詞情報管理部３２においては、Ｗｅｂサーバ２１から送られてきた検索種別が「アーティスト名」である場合は、歌詞情報データベース２７に登録されたアーティスト名の中からそのアーティスト名に対応づけられた楽曲が検索される。また、Ｗｅｂサーバ２１から送られてきた検索種別が「曲名」である場合は、歌詞情報データベース２７に登録された曲名の中からその曲名を含む楽曲が検索され、また、Ｗｅｂサーバ２１から送られてきた検索種別が「歌詞」である場合は、歌詞情報データベース２７に登録された歌詞の中からその歌詞を含む楽曲が検索されることになる。これにより、所望の楽曲の曲名や歌詞の一部しかわからない場合であっても、その一部を入力することにより所望の楽曲を検索可能となっている。
【００４０】
歌詞情報管理部３２における検索結果はＷｅｂサーバ２１に送信され、Ｗｅｂサーバ２１において、ステップＳ４にて選択された検索種別と入力された検索条件とによる検索結果が掲載された検索結果画面が作製されて送信される（ステップＳ７）。
【００４１】
Ｗｅｂサーバ２１から送信された検索結果画面は、インターネット６０を介して端末１０−１にて受信されて表示される（ステップＳ８）。
【００４２】
図５は、図１に示したカード印刷サービスシステム２０から送信されて端末１０−１にて表示される検索結果画面の一例を示す図である。
【００４３】
図５に示すように、カード印刷サービスシステム２０のＷｅｂサーバ２１から送信されて端末１０−１にて表示される検索結果画面には、歌詞情報管理部３２にて歌詞情報データベース２７から検索された楽曲名が検索結果６４として掲載されているとともに、この検索結果６４として掲載された楽曲の中から、カードに歌詞が印刷されるとともにそのカードを用いて配信する楽曲を選択するための楽曲選択領域６５と、楽曲選択領域６５における選択を決定するための選択ボタン６６が設けられている。なお、楽曲選択領域６５は、チェックボックスによって選択可能となっており、それにより、検索結果６４として掲載された楽曲の中から複数の楽曲を選択可能となっている。
【００４４】
楽曲選択領域６５のチェックボックスのうち、カードに歌詞が印刷されるとともにそのカードを用いて配信する楽曲のチェックボックスにチェックが入力され、選択ボタン６６が押下されると（ステップＳ９）、注文管理サーバ３０の注文情報管理部３１において、カードに歌詞が印刷されるとともにそのカードを用いて配信する楽曲が受け付けられる（ステップＳ１０）。この楽曲の受け付けは、その楽曲に付与された曲ＩＤを用いて行われる。またこの際、注文ＩＤが付与され、注文情報管理部３１において、選択された楽曲の曲ＩＤと注文ＩＤとが対応づけて管理される。
【００４５】
次に、カード印刷サービスシステム２０のＷｅｂサーバ２１から、印刷部２４にて作製されたカードの配送先の住所や氏名等の配送先情報を入力するための配送先情報入力画面が送信され（ステップＳ１１）、端末１０−１にて受信されて表示される（ステップＳ１２）。
【００４６】
そして、端末１０−１において、配送先情報入力画面に印刷部２４にて作製されたカードの配送先の住所や氏名等の配送先情報が入力されて送信されると（ステップＳ１３）、注文管理サーバ３０の注文情報管理部３１において、印刷部２４にて作製されたカードの配送先の配送先情報が受け付けられる（ステップＳ１４）。またこの際、受け付けられた配送先情報は、ステップＳ１０にて楽曲が受け付けられた際に付与された注文ＩＤに対応づけられる。
【００４７】
次に、カード印刷サービスシステム２０のＷｅｂサーバ２１において、上述した一連の処理によって指定され、注文管理サーバ３０の注文情報管理部３１にて管理されている注文内容を確認するための注文確認画面が作製されて送信され（ステップＳ１５）、端末１０−１にて受信されて表示される（ステップＳ１６）。
【００４８】
図６は、図１に示したＷｅｂサーバ２１から送信されて端末１０−１にて表示される注文確認画面の一例を示す図である。
【００４９】
図６に示すように、Ｗｅｂサーバ２１から送信されて端末１０−１にて表示される注文確認画面には、ステップＳ９にて選択した楽曲名が記載された注文内容７３と、ステップＳ１３にて入力した配送先情報７４が掲載されているとともに、注文内容７３に応じた料金７５が掲載され、また、この内容で注文する場合に押下する注文ボタン７６が設けられている。なお、料金７５は、カードに歌詞が印刷されるとともにカードを用いてダウンロードが可能となる楽曲の数に応じて決まる。
【００５０】
図６に示した注文確認画面の内容が確認された後、注文ボタン７６が押下されると（ステップＳ１７）、注文管理サーバ３０の注文情報管理部３１にて管理されている注文内容が受け付けられる（ステップＳ１８）。すなわち、注文情報管理部３１において、ステップＳ９にて選択された楽曲の配信及びその楽曲の歌詞が印刷されたカードの作製、並びにそのカードのステップＳ１３にて指定された配送先への配送が受け付けられる。
【００５１】
そして、Ｗｅｂサーバ２１において、ステップＳ１７にて確認された注文内容が受け付けられた旨を示す注文受付画面が作製されて送信され（ステップＳ１９）、端末１０−１にて受信されて表示される（ステップＳ２０）。
【００５２】
図７は、図１に示したＷｅｂサーバ２１から送信されて端末１０−１にて表示される注文受付画面の一例を示す図である。
【００５３】
図７に示すように、Ｗｅｂサーバ２１から送信されて端末１０−１にて表示される注文受付画面には、注文を確認した注文受付画面に掲載されたものと同様の注文内容７３、配送先情報７４及び料金７５が掲載されている。端末１０−１の利用者は、その後、この注文受付画面に掲載された料金７５に基づいて代金を支払うことになる。
【００５４】
また、注文管理サーバ３０においては、注文情報管理部３１にて管理されている配送先情報が、注文ＩＤが付与された状態で配送先情報データベース２６に登録されるとともに（ステップＳ２１）、注文情報管理部３１にて管理されている曲ＩＤが注文ＩＤとともに音楽配信システム４０に通知される（ステップＳ２２）。
【００５５】
注文情報管理部３１から通知された曲ＩＤと注文ＩＤが音楽配信システム４０にて受信されると（ステップＳ２３）、音楽配信システム４０の注文管理サーバ４３において、その曲ＩＤに、曲ＩＤによって特定される楽曲を端末１０−１にダウンロードするためのＩＤ及びパスワードが設定され、曲ＩＤと設定されたＩＤ及びパスワードとが配信情報データベース４５に対応づけて登録されるとともに、曲ＩＤと注文ＩＤと設定されたＩＤ及びパスワードとがカード印刷サービスシステム２０の注文管理サーバ３０に通知される（ステップＳ２４）。なお、この際、曲ＩＤによって特定される楽曲を端末１０−１にてダウンロードするためのサイトアドレス情報をＩＤ及びパスワードとともに送信することも考えられる。
【００５６】
注文管理サーバ４３から通知されたＩＤ及びパスワードがカード印刷サービスシステム２０の注文管理サーバ３０にて受信されると（ステップＳ２５）、注文管理サーバ３０の注文情報管理部３１において、音楽配信システム４０の注文管理サーバ４３から通知されてきたＩＤ及びパスワードが曲ＩＤと対応づけて注文情報データベース２５に登録される（ステップＳ２６）。なお、この際、注文情報データベース２５に登録される曲ＩＤ、ＩＤ及びパスワードには注文ＩＤが対応づけられた状態となっている。また、カードに歌詞が印刷される楽曲を端末にてダウンロードするためのサイトアドレスも、これらの情報に対応づけて注文情報データベース２５に登録される。
【００５７】
次に、カード印刷サービスシステム２０にて受け付けられた注文に従ってカードを作製する際の処理について説明する。
【００５８】
図８は、図１に示した音楽提供システムにおいてカード印刷サービスシステム２０にて受け付けられた注文に従ってカードを作製する際の処理を説明するためのフローチャートである。
【００５９】
まず、情報検索部２３において、注文情報データベース２５に登録された印刷注文情報が注文毎に取得される（ステップＳ３１）。この印刷注文情報は、音楽配信システム４０から通知されたサイトアドレス、ＩＤ及びパスワードと、曲ＩＤとからなり、注文ＩＤが付与されているため、この注文ＩＤを用いて注文毎に取得することができる。
【００６０】
次に、情報検索部２３において、配送先情報データベース２６が参照され、注文情報データベース２５から取得された注文ＩＤを用いて、この注文ＩＤに対応づけられた配送先の住所や氏名等の配送先情報が検索されて取得される（ステップＳ３２）。
【００６１】
次に、情報検索部２３において、歌詞情報データベース２７の中から、注文情報データベース２５から取得した印刷注文情報に含まれる楽曲ＩＤによって特定される歌詞が検索される（ステップＳ３３）。この際、歌詞情報データベース２７には、図４に示したように、歌詞の他に、アーティスト名や楽曲名が登録されており、歌詞とともにカードにこれらを印刷する場合は、これらアーティスト名や楽曲名も歌詞情報データベース２７の中から検索されることになる。
【００６２】
次に、印刷部５３において、注文情報データベース２５から取得された印刷注文情報に含まれるサイトアドレス、ＩＤ及びパスワードと、情報検索部２３にて配送先情報データベース２６から検索された配送先情報と、情報検索部２３にて歌詞情報データベース２７から検索された歌詞情報とが印刷され、情報検索部２３にて配送先情報データベース２６から検索された配送先情報を宛先としたカードが作製される（ステップＳ３４）。
【００６３】
図９は、図１に示したカード印刷サービスシステム２０にて作製されたカードの一例を示す図であり、（ａ）はカードの表面図、（ｂ）はカードの裏面図、（ｃ）はカードを封入した封筒の表面図である。
【００６４】
図９（ａ）に示すように、印刷部２４にて作製されるカードの表面には、注文情報データベース２５から取得された印刷注文情報に含まれるサイトアドレス８２、ＩＤ８３及びパスワード８４が印刷されており、また、図９（ｂ）に示すように、このカードの裏面には、情報検索部２３にて歌詞情報データベース２７から検索された歌詞情報８５が印刷されている。そして、図９（ｃ）に示すように、このカードが封入される封筒には、その表面に、情報検索部２３にて配送先情報データベース２６から検索された配送先情報８１が印刷されている。
【００６５】
その後、作製されたカードが、封筒の表面に印刷された配送先情報８１に従って配送先に配送される（ステップＳ３５）。
【００６６】
次に、図９に示したカードを受け取った利用者がカードを用いて音楽をダウンロードする際の動作について、端末１０−２の利用者が音楽をダウンロードする場合を例に挙げて説明する。すなわち、以下の説明においては、上述したようにして作製されたカードが端末１０−１の利用者から端末１０−２の利用者に配送されたものとする。
【００６７】
図１０は、図１に示した音楽提供システムにおいてカード印刷サービスシステム２０にて作製されたカードを用いて音楽配信システム４０から端末１０−２にダウンロードする際の動作を説明するためのフローチャートである。
【００６８】
端末１０−２の利用者が、図９に示したカードを端末１０−１の利用者から受け取り、カードを用いて音楽をダウンロードするために、カードに印刷されたサイトアドレス８２（図９参照）に従って音楽配信システム４０にアクセスすると（ステップＳ４１）、まず、音楽配信システム４０のＷｅｂサーバ４１から、ＩＤ及びパスワードを入力するための情報画面が送信され（ステップＳ４２）、インターネット６０を介して端末１０−２にて受信されて表示される（ステップＳ４３）。
【００６９】
端末１０−２の利用者が、端末１０−１の利用者から受け取ったカードに印刷されたＩＤ８３及びパスワード８４（図９参照）を入力し、送信すると（ステップＳ４４）、このＩＤ及びパスワードは、音楽配信システム４０のＷｅｂサーバ４１を介して楽曲配信サーバ４４にて受信される（ステップＳ４５）。
【００７０】
楽曲配信サーバ４４においては、ＩＤ及びパスワードが受信されると、まず、配信情報データベース４５の中から、受信されたＩＤ及びパスワードに対応づけられた曲ＩＤが検索され、次に、楽曲データベース４６の中からこの曲ＩＤによって特定される楽曲が検索され、検索された楽曲名が掲載されたダウンロード指定画面がＷｅｂサーバ４１から送信される（ステップＳ４６）。なお、楽曲データベース４６には、インターネット５０を介して端末１０−１〜１０−ｎに配信される楽曲が曲ＩＤによって特定可能に登録されているとともに、その楽曲名が曲ＩＤに対応づけて登録されているため、楽曲配信サーバ４４に曲ＩＤが与えられた場合、その曲ＩＤによって楽曲名を楽曲データベース４６から検索することができる。
【００７１】
音楽配信システム４０のＷｅｂサーバ４１から送信されたダウンロード指定画面は、インターネット５０を介して端末１０−２にて受信、表示される（ステップＳ４７）。
【００７２】
図１１は、図１に示した音楽配信システム４０のＷｅｂサーバ４１から送信されて端末１０−２に表示されるダウンロード指定画面を示す図である。
【００７３】
図１１に示すように、音楽配信システム４０のＷｅｂサーバ４１から送信されて端末１０−２に表示されるダウンロード指定画面には、音楽配信システム４０からダウンロード可能な楽曲名９１が掲載されているとともに、この楽曲名９１による楽曲の中からダウンロードする楽曲を選択するための楽曲選択領域９２と、楽曲選択領域９２にて選択された楽曲をダウンロードするためのダウンロードボタン９３とが設けられている。なお、楽曲選択領域９２は、チェックボックスによって選択可能となっており、それにより、楽曲名９１による楽曲の中から複数の楽曲を選択可能となっている。
【００７４】
楽曲選択領域９２のチェックボックスのうち、ダウンロードする楽曲のチェックボックスにチェックが入力され、ダウンロードボタン９３が押下されると（ステップＳ４８）、楽曲配信サーバ４４にて楽曲データベース４６の中から、選択された楽曲が検索され、端末１０−２に配信される（ステップＳ４９）。
【００７５】
音楽配信システム４０から端末１０−２に配信された楽曲は、端末１０−２にて受信され（ステップＳ５０）、端末１０−２の利用者は、カードの裏面に印刷された歌詞情報８５（図９参照）を見ながら配信された楽曲を視聴することができる。
【００７６】
上述したようにして、端末１０−１の利用者は所望の楽曲とその楽曲の歌詞が印刷されたカードを端末１０−２の利用者にプレゼントすることができる。なお、本形態における料金の支払いは、カードの作製及び楽曲の配信の料金を端末１０−１の利用者からカード印刷サービスシステム２０に支払い、そのうち楽曲の配信の料金のみをカード印刷サービスシステム２０から音楽配信システム４０に支払うことになる。
【００７７】
（第２の実施の形態）
上述した第１の実施の形態においては、音楽の配信とその音楽の歌詞が印刷されたカードの作製の印刷の受け付けを、カードを作製するカード印刷サービスシステム２０にて行っているが、楽曲を配信する音楽配信システムにてこの受け付けを行う構成とすることも考えられる。
【００７８】
図１２は、本発明の音楽提供システムの第２の実施の形態を示す図である。
【００７９】
本形態は図１２に示すように、第１の実施の形態にて示したものに対して、音楽配信システム１４０に歌詞情報データベース２７と同様の楽曲情報データベース４７が設けられている点が異なり、音楽配信システム１４０の注文管理サーバ４３において、カードの作製の受け付けを可能とするものである。
【００８０】
以下に、図１２に示した音楽提供システムにおいて、端末１０−１〜１０−ｎにて音楽のダウンロードが可能であるとともにその音楽の歌詞が印刷されたカードの作製が注文される際の処理について、端末１０−１にてカードの作製が注文される際の処理を例に挙げて説明する。
【００８１】
図１３は、図１２に示した音楽情報印刷システムにおいて端末１０−１にて音楽のダウンロードが可能であるとともにその音楽の歌詞が印刷されたカードの作製が注文される際の処理を説明するためのフローチャートである。
【００８２】
端末１０−１の利用者が、図１２に示した音楽提供システムを用いて、音楽がダウンロード可能であるとともにその音楽の歌詞が印刷されたカードの作製を注文するために、音楽配信サービスを行っている音楽配信システム１４０にアクセスすると（ステップＳ１０１）、まず、音楽配信システム１４０のＷｅｂサーバ４１から、配信する楽曲や、カードに歌詞が印刷されるとともにそのカードを用いて配信する楽曲を検索するための楽曲検索画面が送信され（ステップＳ１０２）、インターネット６０を介して端末１０−１にて受信されて表示される（ステップＳ１０３）。
【００８３】
図１に示した音楽配信システム４０から送信されて端末１０−１にて表示される楽曲検索画面としては、例えば図３に示したようなものが考えられ、その楽曲検索画面に検索条件が入力されて送信されると（ステップＳ１０４）、検索条件がＷｅｂサーバ４１にて受信される（ステップＳ１０５）。
【００８４】
楽曲検索画面に入力された検索条件がＷｅｂサーバ４１にて受信されると、Ｗｅｂサーバ４１にて受信された検索条件は、注文管理サーバ４３に送られ、注文管理サーバ４３において、楽曲情報データベース４７が参照され、Ｗｅｂサーバ４１から送られてきた検索条件に基づいて、歌詞を印刷する楽曲が検索される（ステップＳ１０６）。
【００８５】
注文管理サーバ４３における検索結果はＷｅｂサーバ４１に送信され、Ｗｅｂサーバ４１において、ステップＳ１０４にて入力された検索条件による検索結果が掲載された検索結果画面が作製されて送信される（ステップＳ１０７）。
【００８６】
Ｗｅｂサーバ４１から送信された検索結果画面は、インターネット６０を介して端末１０−１にて受信されて表示される（ステップＳ１０８）。
【００８７】
図１４は、図１２に示した音楽配信システム１４０から送信されて端末１０−１にて表示される検索結果画面の一例を示す図である。
【００８８】
図１４に示すように、音楽配信システム１４０のＷｅｂサーバ４１から送信されて端末１０−１にて表示される検索結果画面には、注文管理サーバ４３にて楽曲情報データベース４７から検索された楽曲名が検索結果９４として掲載されているとともに、この検索結果９４として掲載された楽曲の中から端末１０−１にダウンロードする楽曲を選択するための音楽配信選択領域９５と、この検索結果９４として掲載された楽曲の中からカード印刷サービスシステム２０にて歌詞が印刷されたカードを作製する楽曲を選択するためのカード作製選択領域９６と、音楽配信選択領域９５及びカード作製選択領域９６における選択を決定するための選択ボタン９７とが設けられている。なお、音楽配信選択領域９５及びカード作製選択領域９６は、チェックボックスによって選択可能となっており、それにより、検索結果９４として掲載された楽曲の中から複数の楽曲を選択可能となっている。
【００８９】
カード作製選択領域９６のチェックボックスのうち、カード印刷サービスシステム２０にて歌詞が印刷されたカードを作製する楽曲のチェックボックスにチェックが入力され、選択ボタン９７が押下されると（ステップＳ１０９）、音楽配信システム４０の注文管理サーバ４３において、カード作製選択領域９６のチェックボックスにチェックが入力された楽曲が、カード印刷サービスシステム２０にて歌詞が印刷されたカードを作製する楽曲として受け付けられる（ステップＳ１１０）。この楽曲の受け付けは、その楽曲に付与された曲ＩＤを用いて行われる。またこの際、注文ＩＤが付与され、注文管理サーバ４３において、選択された楽曲の曲ＩＤと注文ＩＤとが対応づけて管理される。
【００９０】
なお、検索結果９４として掲載された楽曲をダウンロードするだけの場合は、音楽配信選択領域９５にてその楽曲を選択することになる。
【００９１】
次に、音楽配信システム１４０のＷｅｂサーバ４１から、カード印刷サービスシステム２０にて作製されたカードの配送先の住所や氏名等の配送先情報を入力するための配送先情報入力画面が送信され（ステップＳ１１１）、端末１０−１にて受信されて表示される（ステップＳ１１２）。
【００９２】
そして、端末１０−１において、配送先情報入力画面にカード印刷サービスシステム２０にて作製されたカードの配送先の住所や氏名等の配送先情報が入力されて送信されると（ステップＳ１１３）、注文管理サーバ４３において、カード印刷サービスシステム２０にて作製されたカードの配送先の配送先情報が受け付けられる（ステップＳ１１４）。またこの際、受け付けられた配送先情報は、ステップＳ１１０にて楽曲が受け付けられた際に付与された注文ＩＤに対応づけられる。
【００９３】
次に、音楽配信システム１４０のＷｅｂサーバ４１において、上述した一連の処理によって指定され、注文管理サーバ４３にて管理されている注文内容を確認するための注文確認画面が作製されて送信され（ステップＳ１１５）、端末１０−１にて受信されて表示される（ステップＳ１１６）。
【００９４】
Ｗｅｂサーバ２１から送信されて端末１０−１にて表示される注文確認画面としては、例えば、図６に示したようなものが考えられ、この注文確認画面を用いて注文内容が確認されると（ステップＳ１１７）、注文管理サーバ４３にて管理されている注文内容が受け付けられる（ステップＳ１１８）。すなわち、注文管理サーバ４３において、ステップＳ１０９にて選択された楽曲の配信及びその楽曲の歌詞が印刷されたカードの作製、並びにそのカードのステップＳ１１３にて指定された配送先への配送が受け付けられる。
【００９５】
そして、Ｗｅｂサーバ４１において、ステップＳ１１７にて確認された注文内容が受け付けられた旨を示す注文受付画面が作製されて送信され（ステップＳ１１９）、端末１０−１にて受信されて表示される（ステップＳ１２０）。
【００９６】
また、音楽配信システム１４０の注文管理サーバ４３において、ステップＳ１１０にて受け付けられた曲ＩＤに、曲ＩＤによって特定される楽曲を端末１０−１にダウンロードするためのＩＤ及びパスワードが設定される（ステップＳ１２１）。
【００９７】
注文管理サーバ４３にてＩＤ及びパスワードが設定されると、曲ＩＤと設定されたＩＤ及びパスワードとが配信情報データベース４５に対応づけて登録されるとともに、曲ＩＤと、ＩＤ及びパスワードと、ステップＳ１１４にて受け付けられた配送先情報とが、カード印刷サービスシステム２０の注文管理サーバ３０に注文ＩＤが付与された状態で通知される（ステップＳ１２２）。
【００９８】
注文管理サーバ４３から通知された曲ＩＤ、ＩＤ、パスワード及び配送先情報がカード印刷サービスシステム２０の注文管理サーバ３０にて受信されると（ステップＳ１２３）、注文管理サーバ３０の注文情報管理部３１において、音楽配信システム４０の注文管理サーバ４３から通知されてきた曲ＩＤ、ＩＤ及びパスワードが注文ＩＤと対応づけて注文情報データベース２５に登録されるとともに、配送先情報が注文ＩＤと対応づけて配送先情報データベース２６に登録される（ステップＳ１２４）。なお、この際、カードに歌詞が印刷される楽曲を端末にてダウンロードするためのサイトアドレスも、これらの情報に対応づけて注文情報データベース２５に登録される。
【００９９】
上記のようにして、歌詞が印刷され、音楽配信システム１４０からのダウンロードを可能とするカードの注文が受け付けられ、その後、第１の実施の形態にて示したものと同様にしてカード印刷サービスシステム２０にてカードが作製され、そのカードを用いて端末１０−１〜１０−ｎにて楽曲がダウンロードされることになる。
【０１００】
本形態における料金の支払いは、カードの作製及び楽曲の配信の料金を端末１０−１の利用者から音楽配信システム１４０に支払い、そのうちカードの作製の料金のみを音楽配信システム１４０からカード印刷サービスシステム２０に支払うことになる。
【０１０１】
なお、上述した２つの実施の形態においては、カード印刷サービスシステム２０において、楽曲の歌詞が印刷されたカードを作製するものを例に挙げて説明したが、本発明においてカードに印刷される音楽情報としては、楽譜等であってもよい。
【０１０２】
また、上述した２つの実施の形態において、カード印刷サービスシステム２０にて作製されるカードのデザインや、歌詞以外に含まれる画像、あるいはそのレイアウトを端末１０−１〜１０−ｎにて設定可能とするような構成とすることも考えられる。
【０１０３】
また、上述した２つの実施の形態においては、カード印刷サービスシステム２０にて作製されるカードに、楽曲をダウンロードするためのサイトアドレスやＩＤ、パスワードを印刷しておき、カードを受け取った利用者がこのサイトアドレスを用いて楽曲を配信するサイトにアクセスし、ＩＤ及びパスワードを用いて楽曲をダウンロードするものを例に挙げて説明したが、カード印刷サービスシステム２０にて作製されるカードに、これらを含む二次元コードを配信許可情報として印刷しておき、端末１０−１〜１０−ｎ、あるいは端末１０−１〜１０−ｎに接続されたバーコードリーダにてこの二次元コードを読み取り、サイトにアクセスして楽曲をダウンロードする構成とすることも考えられる。また、ＩＤ及びパスワードを一次元のバーコード情報として表現してもよい。
【図面の簡単な説明】
【０１０４】
【図１】本発明の音楽提供システムの第１の実施の形態を示す図である。
【図２】図１に示した音楽情報印刷システムにおいて端末にて音楽のダウンロードが可能であるとともにその音楽の歌詞が印刷されたカードの作製が注文される際の処理を説明するためのフローチャートである。
【図３】図１に示したカード印刷サービスシステムから送信されて端末にて表示される楽曲検索画面の一例を示す図である。
【図４】図１に示した歌詞情報データベースの構成例を示す図である。
【図５】図１に示したカード印刷サービスシステムから送信されて端末にて表示される検索結果画面の一例を示す図である。
【図６】図１に示したＷｅｂサーバから送信されて端末にて表示される注文確認画面の一例を示す図である。
【図７】図１に示したＷｅｂサーバから送信されて端末にて表示される注文受付画面の一例を示す図である。
【図８】図１に示した音楽提供システムにおいてカード印刷サービスシステムにて受け付けられた注文に従ってカードを作製する際の処理を説明するためのフローチャートである。
【図９】図１に示したカード印刷サービスシステムにて作製されたカードの一例を示す図であり、（ａ）はカードの表面図、（ｂ）はカードの裏面図、（ｃ）はカードを封入した封筒の表面図である。
【図１０】図１に示した音楽提供システムにおいてカード印刷サービスシステムにて作製されたカードを用いて音楽配信システムから端末にダウンロードする際の動作を説明するためのフローチャートである。
【図１１】図１に示した音楽配信システムのＷｅｂサーバから送信されて端末に表示されるダウンロード指定画面を示す図である。
【図１２】本発明の音楽提供システムの第２の実施の形態を示す図である。
【図１３】図１２に示した音楽情報印刷システムにおいて端末にて音楽のダウンロードが可能であるとともにその音楽の歌詞が印刷されたカードの作製が注文される際の処理を説明するためのフローチャートである。
【図１４】図１２に示した音楽配信システムから送信されて端末にて表示される検索結果画面の一例を示す図である。
【符号の説明】
【０１０５】
１０−１〜１０−ｎ    端末
２０    カード印刷サービスシステム
２１，４１    Ｗｅｂサーバ
２２，４２    メールサーバ
２３    情報検索部
２４    印刷部
２５    注文情報データベース
２６    配送先情報データベース
２７    歌詞情報データベース
３０，４３    注文管理サーバ
３１    注文情報管理部
３２    歌詞情報管理部
４０，１４０    音楽配信システム
４４    楽曲配信サーバ
４５    配信情報データベース
４６    楽曲データベース
４７    楽曲情報データベース
５０    インターネット
【図１】
2007316539.tif 000003
【図２】
2007316539.tif 000004
【図３】
2007316539.tif 000005
【図４】
2007316539.tif 000006
【図５】
2007316539.tif 000007
【図６】
2007316539.tif 000008
【図７】
2007316539.tif 000009
【図８】
2007316539.tif 000010
【図９】
2007316539.tif 000011
【図１０】
2007316539.tif 000012
【図１１】
2007316539.tif 000013
【図１２】
2007316539.tif 000014
【図１３】
2007316539.tif 000015
【図１４】
2007316539.tif 000016